(57)【要約】【課題】非使用時、水平載置面に載置した場合でも、軸筒の外面及び摩擦部の外面が汚れたり、軸筒の外面に傷がついたりするおそれがない熱変色性筆記具を提供する。【解決手段】内部に熱変色性インキが収容され且つ前端に前記熱変色性インキが吐出可能なペン先４を備えた軸筒３と、該軸筒３のペン先側に着脱自在に装着されるキャップ８と、を備える。軸筒３の後端に摩擦部７が設けられる。キャップ８の外面が前方に向かうに従い縮径される。軸筒３のペン先側にキャップ８が装着された状態で熱変色性筆記具の重心Ｇがキャップ８の内部に位置される。熱変色性筆記具を水平載置面Ｆに載置した際、キャップ８の外面が水平載置面Ｆに接触し、キャップ８より後方の軸筒３の外面及び摩擦部７の外面が水平載置面Ｆと非接触状態となる。【選択図】  図３
2020179631.tif 000002
【特許請求の範囲】
【請求項１】
内部に熱変色性インキが収容され且つ前端に前記熱変色性インキが吐出可能なペン先を備えた軸筒と、該軸筒のペン先側に着脱自在に装着されるキャップと、を備え、前記軸筒の後端に摩擦部が設けられ、前記摩擦部によって前記熱変色性インキの筆跡を摩擦しその際に生じる摩擦熱で該筆跡を熱変色可能な熱変色性筆記具であって、
前記キャップの外面が前方に向かうに従い縮径され、前記軸筒のペン先側にキャップが装着された状態で熱変色性筆記具の重心が前記キャップの内部に位置され、前記軸筒のペン先側に前記キャップが装着された状態で熱変色性筆記具を水平載置面に載置した際、前記キャップの外面が水平載置面に接触し、前記キャップより後方の前記軸筒の外面及び前記摩擦部の外面が水平載置面と非接触状態となることを特徴とする熱変色性筆記具。
【請求項２】
前記軸筒のペン先側に前記キャップが装着された状態で前記キャップより後方の前記軸筒の外面が後方に向かうに従い縮径され、前記軸筒のペン先側に前記キャップが装着された状態で熱変色性筆記具を水平載置面に載置した際、前記摩擦部と前記水平載置面との間の隙間が３ｍｍ以上に設定される請求項１に記載の熱変色性筆記具。
【請求項３】
前記軸筒の内部に熱変色性インキが含浸されたインキ吸蔵体が収容され、前記軸筒のペン先側に前記キャップが装着された状態で、前記インキ吸蔵体の全長手寸法の１／２以上の長さがキャップの内部に位置される請求項１または２に記載の熱変色性筆記具。
【発明の詳細な説明】
【技術分野】
【０００１】
本発明は、熱変色性筆記具に関する。
【背景技術】
【０００２】
従来、例えば、特許文献１には、熱変色性インクが収容された筆記具本体と、筆記具本体の前端の筆記部を保護するキャップと、筆記具本体の後端に設けられ、熱変色性インクで筆記した描線を摩擦熱で変色させる消去部材とを具備する筆記具が開示されている。
【先行技術文献】
【特許文献】
【０００３】
【特許文献１】特開２０１６−７８４１８号公報
【発明の概要】
【発明が解決しようとする課題】
【０００４】
前記特許文献１の筆記具は、非使用時に筆記具を机や作業台等の水平載置面に載置した際、水平載置面に軸筒の外面や消去部材（本願の摩擦部に相当）が接触する。そのため、軸筒の外面や消去部材の外面に水性載置面の埃等の汚れが付着したり、軸筒の外面（例えば加飾部）に傷がついたりするおそれがある。特に、前記汚れた消去部材を用いて紙面の筆跡を摩擦すると、紙面が汚れることになる。
【０００５】
本発明は、前記従来の本題点を解決するものであって、非使用時、水平載置面に載置した場合でも、軸筒の外面及び摩擦部の外面が汚れたり、軸筒の外面に傷がついたりするおそれがない熱変色性筆記具を提供しようとするものである。
【０００６】
尚、本発明で、「前」とは、軸筒のペン先側及びキャップの閉鎖側を指し、「後」とは、軸筒の尾端側及びキャップの開口側を指す。
【課題を解決するための手段】
【０００７】
本願の第１の発明は、内部に熱変色性インキが収容され且つ前端に前記熱変色性インキが吐出可能なペン先４を備えた軸筒３と、該軸筒３のペン先側に着脱自在に装着されるキャップ８と、を備え、前記軸筒３の後端に摩擦部７が設けられ、前記摩擦部７によって前記熱変色性インキの筆跡を摩擦しその際に生じる摩擦熱で該筆跡を熱変色可能な熱変色性筆記具であって、前記キャップ８の外面が前方に向かうに従い縮径され、前記軸筒３のペン先側にキャップ８が装着された状態で熱変色性筆記具の重心Ｇが前記キャップ８の内部に位置され、前記軸筒３のペン先側に前記キャップ８が装着された状態で熱変色性筆記具を水平載置面Ｆに載置した際、前記キャップ８の外面が水平載置面Ｆに接触し、前記キャップ８より後方の前記軸筒３の外面及び前記摩擦部７の外面が水平載置面Ｆと非接触状態となることを要件とする。
【０００８】
前記第１の発明の熱変色性筆記具１は、前記構成により、非使用時、キャップ８がペン先側に装着された状態で水平載置面Ｆに載置させたとしても、軸筒３の外面及び摩擦部７の外面が汚れたり、軸筒３の外面に傷がついたりするおそれがない。また、前方に向かうに従い縮径されたキャップ８の外面が水平載置面Ｆに接触するため、熱変色性筆記具１の軸線Ｃが後方に向かうに従い水平載置面Ｆから上昇し（即ち水平載置面Ｆとの距離が増加し）、キャップ８より後方の前記軸筒３の外面及び前記摩擦部７の外面が水平載置面Ｆと容易に非接触状態とすることができる。
【０００９】
本願の第２の発明は、前記第１の発明の熱変色性筆記具において、前記軸筒３のペン先側に前記キャップ８が装着された状態で前記キャップ８より後方の前記軸筒３の外面が後方に向かうに従い縮径され、前記軸筒３のペン先側に前記キャップ８が装着された状態で熱変色性筆記具を水平載置面Ｆに載置した際、前記摩擦部７と前記水平載置面Ｆとの間の隙間Ｄが３ｍｍ以上に設定されることを要件とする。
【００１０】
前記第２の発明に熱変色性筆記具１は、前記構成により、一層、軸筒３の外面及び摩擦部７の外面が汚れたり、軸筒３の外面に傷がついたりするおそれがない。
【００１１】
本願の第３の発明は、前記第１または第２の発明の熱変色性筆記具において、前記軸筒３の内部に熱変色性インキが含浸されたインキ吸蔵体５が収容され、前記軸筒３のペン先側に前記キャップ８が装着された状態で、前記インキ吸蔵体５の全長手寸法Ａの１／２以上の長さＢがキャップ８の内部に位置されることを要件とする。
【００１２】
前記第３の発明の熱変色性筆記具１は、前記構成により、軸筒３のペン先側にキャップ８が装着された状態で熱変色性筆記具１の重心Ｇが前記キャップ８の内部に位置される構成を容易に得る。
【発明の効果】
【００１３】
本発明の熱変色性筆記具は、非使用時、水平載置面に載置した場合でも、軸筒の外面及び摩擦部の外面が汚れたり、軸筒の外面に傷がついたりするおそれがない。
【図面の簡単な説明】
【００１４】
【図１】本発明の実施の形態のペン先側にキャップを装着した状態の縦断面図である。
【図２】図１の軸筒よりキャップを取り外した状態の縦断面図である。
【図３】図１の熱変色性筆記具を水平載置面に載置した状態の縦断面図である。
【発明を実施するための形態】
【００１５】
本発明の実施の形態の熱変色性筆記具１を図１乃至図３に示す。本実施の形態の熱変色性筆記具１は、筆記具本体２とキャップ８とを備える。筆記具本体２は、軸筒３と、軸筒３内部に収容されるインキ吸蔵体５と、軸筒３の前端に固着されるペン先４と、軸筒３の後端に固着される摩擦部７とを備える。
【００１６】
・軸筒
軸筒３は、筒状の前軸３１と、該前軸３１の後部に結合される筒状の後軸３２とを備える。前軸３１は、ペン先４が固着される先細状部３１ａと、該先細状部３１ａより後方に一体に連設される前側筒部３１ｂと、該前側筒部３１ｂの後端より径方向外方に突出するように一体に連設される鍔部３１ｃと、該鍔部３１ｃより後方に一体に連設される後側筒部３１ｄとを備える。前軸３１及び後軸３２は合成樹脂（例えばポリプロピレン等）の成形体から得られる。
【００１７】
・前軸
前軸３１の先細状部３１ａにはペン先取付孔３１ｅが軸方向に貫設される。ペン先取付孔３１ｅにペン先４が圧入固着される。前軸３１の内部には、インキ吸蔵体５が収容され、インキ吸蔵体５の前端部とペン先４の後端部とが接続される。インキ吸蔵体５の後端は前軸３１の後端より後方に突出される。前軸３１の内面のペン先取付孔３１ｅの後方には当接壁部３１ｆが形成され、当接壁部３１ｆにインキ吸蔵体５の前端が当接される。
【００１８】
・後軸
後軸３２は後方に向かうに従い縮径する外面を有する。後軸３２は両端が開口され、軸方向に貫通する内孔を有する。後軸３２の中間部内面に、環状シール部３２ａと、環状シール部３２ａの後方に位置する係止壁部３２ｂとが一体に形成される。環状シール部３２ａと中栓６の外面とが径方向に気密嵌合されるとともに係止壁部３２ｂと中栓６の後端とが軸方向に当接される。後軸３２の後端開口部に摩擦部７が圧入固着される。後軸３２の前部内面と前軸３１の後側筒部３１ｄの外面とが気密嵌合により固定される。後軸３２の外面は転写印刷により加飾部を備える。
【００１９】
・ペン先
ペン先４は、合成樹脂（例えばポリステル）繊維束の樹脂加工体である。ペン先４は、前端部がチゼル状（ノミ状）に形成される。ペン先４の後端部は後方に向かうに従い縮径するテーパ面を有する。ペン先４の後端部はインキ吸蔵体５の前端部に突き刺し接続される。
【００２０】
・インキ吸蔵体
インキ吸蔵体５は、合成樹脂製繊維束（例えばポリエステル繊維束）と、その外周を包囲する円筒状の外皮とからなる。外皮は合成樹脂製筒体（例えば、ポリプロピレン樹脂の押出成形体）よりなる。前記インキ吸蔵体５に熱変色性インキが含浸保持される。
【００２１】
・熱変色性インキ
熱変色性インキは、熱変色性マイクロカプセル顔料を用いたものであり、（イ）電子供与性呈色性有機化合物、（ロ）電子受容性化合物、（ハ）前記両者の呈色反応の生起温度を決める反応媒体からなる可逆熱変色性組成物を内包させた可逆熱変色性マイクロカプセル顔料を含む水性インキ組成物が採用される。前記熱変色性インキは、加熱により消色するタイプ、または加熱により発色するタイプが挙げられる。
【００２２】
・中栓
中栓６は合成樹脂（例えばポリプロピレン）の成形体により得られる。中栓６は前端が開口され且つ後端が閉鎖された有底円筒体である。中栓６の外面が後軸３２の内面の環状シール部３２ａと気密嵌合される。中栓６の後端が後軸３２の内面の係止壁部３２ｂに軸方向に係止される。中栓６の前端がインキ吸蔵体５の後端（外皮の後端）に当接される。中栓６によって後軸３２の後端開口部と後軸３２内部との通気が遮断される。
【００２３】
・摩擦部
摩擦部７は、円筒状の小径部７１と、小径部７１の後方に一体に連設される凸曲面状の大径部７２とを備える。小径部７１が、後軸３２の後端開口部に圧入固着され、大径部７２が後軸３２の後端より後方に突出される。後軸３２の後端より後方に突出する部分（大径部７２）の最大外径は後軸３２の後端の外径以下に設定される。
【００２４】
摩擦部７を構成する材料としては、例えば、弾性を有する合成樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、オレフィン系樹脂、エチレンプロピレンジエンゴム（ＥＰＤＭ）等が挙げられる。前記摩擦部７は、高摩耗性の弾性材料（例えば、消しゴム等）ではなく、摩擦時に摩耗屑が生じない低摩耗性の弾性材料からなる。摩擦部７は、軸筒３（後軸３２）に２色成形により一体に形成することもできる。また、軸筒３全体（後軸３２全体）を、弾性を有する合成樹脂により一体に形成し、軸筒３後端（後軸３２後端）に摩擦部７を設けることもできる
【００２５】
・キャップ
キャップ８は、円筒状のキャップ本体８１と、該キャップ本体８１の外面に一体に形成されるクリップ８１ｂと、キャップ本体８１の内部に固定されるシール筒８２とを備える。
【００２６】
キャップ本体８１の外面は前方に向かうに従い縮径された形状（即ち前方に向かうに従い外径が小さくなる形状）の縮径形状部８１ａを有する。縮径形状部８１ａの形状としてはは、例えば、テーパ面、凸曲面、凹曲面等が挙げられる。キャップ本体８１は合成樹脂（例えばポリカーボネイト）の成形体により得られる。シール筒８２は合成樹脂（例えばポリプロピレン）の成形体により得られる。シール筒８２は前端が閉鎖され且つ後端が開口された有底円筒体である。キャップ８をペン先側に装着した際、キャップ本体８１の内面の内向突起８１ｃと軸筒３の外面（前軸３１の外面）の外向突起３１ｇとが乗り越え嵌合（抜け止め嵌合）されるとともに、シール筒８２の内面と軸筒３のペン先側の外面（前軸３１の外面）とが環状に気密嵌合される。クリップ８１ｂとキャップ本体８１外面との間でポケット等の被挟持物を挟持可能である。
【００２７】
本実施の形態の熱変色性筆記具１を水平載置面Ｆに載置した状態を図３に示す。
キャップ８をペン先側に装着した状態において熱変色性筆記具１全体の重心Ｇは、キャップ内部（縮径形状部８１ａの径方向内方）に位置される。キャップ８をペン先側に装着した状態においてインキ吸蔵体５がキャップ内部に位置される部分の長手方向の長さＢは、インキ吸蔵体５の全長手寸法Ａの１／２以上（５０％以上）の長さを有する。熱変色性筆記具１を水平載置面Ｆに載置した際、クリップ８１ｂが水平載置面Ｆに接触するとともに、キャップ８の外面の縮径形状部８１ａが水平載置面Ｆに接触し、熱変色性筆記具１の軸線Ｃは後方に向かう従い水平載置面Ｆから離隔する。軸筒３の外面（後軸３２の外面）及び摩擦部７の外面は、水平載置面Ｆと非接触状態となる。摩擦部７と水平載置面Ｆとの隙間Ｄは、３ｍｍ以上に設定される。
【００２８】
本実施の形態の熱変色性筆記具１は、キャップ８の外面が前方に向かうに従い縮径され、軸筒３のペン先側にキャップ８が装着された状態で熱変色性筆記具１の重心Ｇが前記キャップ８の内部に位置され、軸筒３のペン先側にキャップ８が装着された状態で熱変色性筆記具１を水平載置面Ｆに載置した際、キャップ８の外面が水平載置面Ｆに接触し、キャップ８より後方の軸筒３の外面及び摩擦部７の外面が水平載置面Ｆと非接触状態となることにより、非使用時、キャップ８がペン先側に装着された状態で水平載置面Ｆに載置させたとしても、軸筒３の外面及び摩擦部７の外面が汚れたり、軸筒３の外面に傷がついたりするおそれがない。また、前方に向かうに従い縮径されたキャップ８の外面（縮径形状部８１ａ）が水平載置面Ｆに接触するため、熱変色性筆記具１の軸線が後方に向かうに従い水平載置面Ｆから上昇し、キャップ８より後方の軸筒３の外面及び摩擦部７の外面が水平載置面Ｆと容易に非接触状態とすることができる。
【００２９】
本実施の形態の熱変色性筆記具１は、軸筒３のペン先側にキャップ８が装着された状態でキャップ８より後方の軸筒３の外面が後方に向かうに従い縮径され、軸筒３のペン先側にキャップ８が装着された状態で熱変色性筆記具を水平載置面Ｆに載置した際、摩擦部７と水平載置面Ｆとの間の隙間Ｄが３ｍｍ以上に設定されることにより、一層、軸筒３の外面及び摩擦部７の外面が汚れたり、軸筒３の外面に傷がついたりするおそれがない。
【００３０】
本実施の形態の熱変色性筆記具１は、軸筒３の内部に熱変色性インキが含浸されたインキ吸蔵体５が収容され、軸筒３のペン先側に前記キャップ８が装着された状態で、前記インキ吸蔵体５の全長手寸法Ａの１／２以上（５０％以上）の長さＢがキャップ８の内部に位置されることにより、軸筒３のペン先側にキャップ８が装着された状態で熱変色性筆記具１の重心Ｇがキャップ８の内部に位置される構成を容易に得る。
【符号の説明】
【００３１】
１  熱変色性筆記具
２  筆記具本体
３  軸筒
３１  前軸
３１ａ  先細状部
３１ｂ  前側筒部
３１ｃ  鍔部
３１ｄ  後側筒部
３１ｅ  ペン先取付孔
３１ｆ  当接壁部
３１ｇ  外向突起
３２  後軸
３２ａ  環状シール部
３２ｂ  係止壁部
４  ペン先
５  インキ吸蔵体
６  中栓
７  摩擦部
７１  小径部
７２  大径部
８  キャップ
８１  キャップ本体
８１ａ  縮径形状部
８１ｂ  クリップ
８１ｃ  内向突起
８２  シール筒
Ａ  インキ吸蔵体の全長
Ｂ  キャップ内に位置するインキ吸蔵体の長さ
Ｃ  軸線
Ｄ  隙間
Ｇ  重心
Ｆ  水平載置面
【図１】
2020179631.tif 000003
【図２】
2020179631.tif 000004
【図３】
2020179631.tif 000005